(57)【要約】【課題】サイレントチェーンのインナープレートの歯あるいはミドルプレートの歯がスプロケット歯に噛合い始めるとき、隣接するプレートから受ける反力を解消あるいは緩和して衝突音を低減するとともに、繰り返し荷重を緩和して長寿命化を図るサイレントチェーンを提供すること。【解決手段】２本のロッカーピン１４１、１４２をロッカー面を対抗させてインナープレート１１０およびミドルプレート１２０のピン孔１１１、１２１に挿入して連結したサイレントチェーン１００において、インナープレート１１０およびミドルプレート１２０の一対のピン孔１１１、１２１が長孔のピン孔であり、長孔のピン孔の拡大部の寸法が、２本のロッカーピン１４１、１４２を対向接触させたままチェーンを最大屈曲させた際に最遠部が遠ざかる距離より大きいこと。【選択図】図３
2011064269.tif 000002
【特許請求の範囲】
【請求項１】
一対のピン孔および一対の歯を有するインナープレートおよびミドルプレートを非ガイド列およびガイド列に複数配列するとともに、該ガイド列の最外に一対のピン孔を有するガイドプレートを配置し、前記非ガイド列に配列したインナープレートと前記ガイド列に配列したミドルプレートとを指組状に組み合わせて、前記凸円弧状のロッカー面を有する２本のロッカーピンを、該ロッカー面を対抗させて前記インナープレートおよびミドルプレートのピン孔に挿入して連結したサイレントチェーンにおいて、
前記インナープレートおよびミドルプレートの一対のピン孔が該インナープレートおよびミドルプレートの内側方向に拡大された長孔のピン孔であり、チェーンに張力を作用して直線状に真っ直ぐに伸びた状態で隣り合うピン孔の２本のロッカーピンの接触点間距離が全て等しいチェーン基準ピッチであり、
前記インナープレートおよびミドルプレートの長孔のピン孔の拡大部の寸法が、２本のロッカーピンを対向接触させたままチェーンを最大屈曲させた際に最遠部が遠ざかる距離より大きいことを特徴とするサイレントチェーン。
【請求項２】
前記インナープレートおよびミドルプレートのピン孔が、一対のピン孔が内側にさらに拡大した拡大部で連通した１つのピン長孔であることを特徴とする請求項１記載のサイレントチェーン。
【請求項３】
前記インナープレートおよびミドルプレートの長孔のピン孔の上辺側の長辺部が、スプロケット歯に該インナープレートおよびミドルプレートの歯が着座した状態で、該ピン孔で連結される隣接するミドルプレートおよびインナープレートの着座しているスプロケット歯の歯先におけるスプロケット外接円の接線とほぼ平行であることを特徴とする請求項１記載のサイレントチェーン。
【請求項４】
前記インナープレートおよびミドルプレートの長孔のピン孔の拡大部の寸法が、チェーン長手方向両側の隣接するミドルプレートおよびインナープレート端部間の間隔より大きいことを特徴とする請求項１または請求項３に記載のサイレントチェーン。
【請求項５】
前記凸円弧状のロッカー面を有する２本のロッカーピンの少なくとも一方が湾曲していることを特徴とする請求項１乃至請求項４のいずれかに記載のサイレントチェーン。
【発明の詳細な説明】
【技術分野】
【０００１】
本発明は、エンジンのタイミングドライブシステム、一般機械の動力伝達手段として用いるサイレントチェーンに関し、詳しくは、サイレントチェーンがスプロケットに噛合う際、サイレントチェーンを構成するインナープレートの歯あるいはミドルプレートの歯が最初にスプロケット歯に接触するときの衝突音を低減できるようにしたサイレントチェーンに関する。
【背景技術】
【０００２】
一般に、サイレントチェーンは、一対のピン孔と一対の歯（二股状の歯）とを有するインナープレートおよびミドルプレートをそれぞれ非ガイド列およびガイド列に複数配列するとともに、ガイド列の最外に一対のピン孔を有するガイドプレートを配置し、非ガイド列に配列したインナープレートとガイド列に配列したミドルプレートとを１枚あるいは数枚重ねで指組状に組み合わせて、連結ピンやロッカーピンをインナープレート、ミドルプレートなどのピン孔に挿入して連結したものである。
【０００３】
前記サイレントチェーンには、インナープレート、ミドルプレートなどプレートの歯の形状により種々の噛合いタイプがあり、主なものとして、プレートの歯の内股（内側フランク）がスプロケット歯との噛合いに関与するいわゆる内股噛合い・外股着座タイプのサイレントチェーン、あるいはプレートの歯の外股（外側フランク）がスプロケット歯との噛合いに関与するいわゆる外股噛合い・外股着座タイプのサイレントチェーンなどが公知である（特許文献１、特許文献２、特許文献３参照。）。
【０００４】
前記内股噛合い・外股着座タイプのサイレントチェーンは、各々のプレートの歯がスプロケット歯と噛合うとき、まず、チェーン進行方向前側の歯の内股がスプロケット歯に接触して噛合い始め、この噛合いの進行に伴って噛合い点がスプロケット歯の歯面に沿ってスプロケット歯底側に移動する。
この移動の途上において、内股から外股に噛合いが移行して、外股の両外側フランクが順にスプロケット歯の歯面に沿ってスプロケット歯底側に滑り込み、噛合い終了時に外股（両外側フランク）がスプロケット歯に接触して着座状態となる。この場合、スプロケット歯との噛合い過程でプレートの内股および外股の両方がスプロケット歯と接触する。
【０００５】
また、前記の外股噛合い・外股着座タイプのサイレントチェーンは、チェーン進行方向後方の歯の外股（外側フランク）がまずスプロケット歯に接触して噛合い始め、そのまま噛合い動作終了まで歯面に沿って噛合い点が移動し、その途上で前方歯の外股（外側フランク）もスプロケット歯に接触して噛合い、噛合い終了時に外股（両外側フランク）がスプロケット歯に接触して着座状態となる。この場合、スプロケット歯との噛合い過程でプレートの歯は外股のみがスプロケット歯と接触し、終始内股は接触しない。
【０００６】
従来のサイレントチェーン５００は、図１０、図１１に示すように、一対のピン孔５１１および一対の歯５１２を有するインナープレート５１０が非ガイド列ＪＬに配列され、一対のピン孔５２１および一対の歯５２２を有するミドルプレート５２０がガイド列ＧＬに配列されるとともにガイド列ＧＬの最外に一対のピン孔５３１を有するガイドプレート５３０が配置されてなり、凸円弧状のロッカー面を有する第１ロッカーピン５４１、第２ロッカーピン５４２がロッカー面を対抗させてプレート５１０、５２０のピン孔５１１、５２１に挿入されて形成されている。
【０００７】
非ガイド列ＪＬおよびガイド列ＧＬにそれぞれ配列したインナープレート５１０とミドルプレート５２０は指組状に組み合わされ、凸円弧状のロッカー面を有する第１ロッカーピン５４１はガイドプレート５３０のピン孔５３１に固定され、第２ロッカーピン５４２は最もガイドプレート５３０に近いインナープレート５１０までの長さに形成されて各プレート５１０、５２０のピン孔５１１、５２１に挿入されている。
【０００８】
インナープレート５１０およびミドルプレート５２０のピン孔５１１、５２１は、それぞれ外側に第１ロッカーピン５４１あるいは第２ロッカーピン５４２を回転不能に係合する凸部５１３、５２３を有するとともに、チェーンの屈曲時に第１ロッカーピン５４１と第２ロッカーピン５４２の凸円弧状のロッカー面の接触点が移動して２本のロッカーピンの最遠部が僅かに遠ざかる際に僅かにピン孔５１１、５２１をチェーン長手方向に広げる力が発生するのを緩和するため、長辺部５１４を有する僅かな長円形に形成されている（特許文献４等参照。）。
【先行技術文献】
【特許文献】
【０００９】
【特許文献１】特開２００８−１３８７８９号公報
【特許文献２】特開２０００−３２９１９９号公報
【特許文献３】特許第３０７６０２２号公報
【特許文献４】特開平１０−１２２３０９号公報（第３頁乃至第４頁、図１、図２）
【発明の概要】
【発明が解決しようとする課題】
【００１０】
従来のサイレントチェーンにおいては、インナープレート５１０の歯５１２、あるいはミドルプレート５２０の歯５２２をスプロケット歯に円滑に噛合わせるため、前述したいずれの噛合いタイプの歯の形状であっても、噛合い始めから着座までの間にインナープレート５１０およびミドルプレート５２０が隣接するミドルプレート５２０およびインナープレート５１０に対してチェーン長手方向で相対的に移動し、特に歯５２２の内股が接触する場合にはその移動距離も大きくなる。
【００１１】
従来のサイレントチェーン５００は、図１０に示すように、第１ロッカーピン５４１および第２ロッカーピン５４２がインナープレート５１０およびミドルプレート５２０のそれぞれのピン孔５１１、５２１に長辺部５１４、５２４による僅かな隙間のみを有する状態で挿入されており、歯の形状に由来する噛合い始めの移動が発生した際に着座が完了して位置決めされた隣接するプレートから大きな反力を受けて衝撃音が発生するという問題について考慮されていなかった。
【００１２】
また、噛合い開始時における当該反力によって第１ロッカーピン５４１および第２ロッカーピン５４２やピン孔５１１、５２１に加わる繰り返し荷重が増大してチェーン寿命が低下する、という問題があった。
【００１３】
本発明は、前述したような従来技術の問題を解決するものであって、すなわち、本発明の目的は、サイレントチェーンのインナープレートの歯あるいはミドルプレートの歯がスプロケット歯に噛合い始めるとき、隣接するプレートから受ける反力を解消あるいは緩和して衝突音を低減するとともに、繰り返し荷重を緩和して長寿命化を図るサイレントチェーンを提供することである。
【課題を解決するための手段】
【００１４】
本請求項１に係る発明は、一対のピン孔および一対の歯を有するインナープレートおよびミドルプレートを非ガイド列およびガイド列に複数配列するとともに、該ガイド列の最外に一対のピン孔を有するガイドプレートを配置し、前記非ガイド列に配列したインナープレートと前記ガイド列に配列したミドルプレートとを指組状に組み合わせて、凸円弧状のロッカー面を有する２本のロッカーピンを、該ロッカー面を対抗させて前記インナープレートおよびミドルプレートのピン孔に挿入して連結したサイレントチェーンにおいて、前記インナープレートおよびミドルプレートの一対のピン孔が該インナープレートおよびミドルプレートの内側方向に拡大された長孔のピン孔であり、チェーンに張力を作用して直線状に真っ直ぐに伸びた状態で隣り合うピン孔の２本のロッカーピンの接触点間距離が全て等しいチェーン基準ピッチであり、前記インナープレートおよびミドルプレートの長孔のピン孔の拡大部の寸法が、２本のロッカーピンを対向接触させたままチェーンを最大屈曲させた際に最遠部が遠ざかる距離より大きいことにより、前記課題を解決するものである。
【００１５】
本請求項２に係る発明は、請求項１に記載されたサイレントチェーンの構成に加えて、前記インナープレートおよびミドルプレートのピン孔が、一対のピン孔が内側にさらに拡大した拡大部で連通した１つのピン長孔であることにより、前記課題をさらに解決するものである。
【００１６】
本請求項３に係る発明は、請求項１に記載されたサイレントチェーンの構成に加えて、前記インナープレートおよびミドルプレートの長孔のピン孔の上辺側の長辺部が、スプロケット歯に該インナープレートおよびミドルプレートの歯が着座した状態で、該ピン孔で連結される隣接するミドルプレートおよびインナープレートの着座しているスプロケット歯の歯先におけるスプロケット外接円の接線とほぼ平行であることにより、前記課題をさらに解決するものである。
【００１７】
本請求項４に係る発明は、請求項１または請求項３に記載されたサイレントチェーンの構成に加えて、前記インナープレートおよびミドルプレートの長孔のピン孔の拡大部の寸法が、チェーン長手方向両側の隣接するミドルプレートおよびインナープレート端部間の間隔より大きいことにより、前記課題をさらに解決するものである。
【００１８】
本請求項５に係る発明は、請求項１乃至請求項４のいずれかに記載されたサイレントチェーンの構成に加えて、前記凸円弧状のロッカー面を有する２本のロッカーピンの少なくとも一方が湾曲していることにより、前記課題をさらに解決するものである。
【発明の効果】
【００１９】
本請求項１に係る発明のサイレントチェーンは、一対のピン孔および一対の歯を有するインナープレートおよびミドルプレートを非ガイド列およびガイド列に複数配列するとともに、該ガイド列の最外に一対のピン孔を有するガイドプレートを配置し、非ガイド列に配列したインナープレートとガイド列に配列したミドルプレートとを指組状に組み合わせて、凸円弧状のロッカー面を有する２本のロッカーピンを、該ロッカー面を対抗させてインナープレートおよびミドルプレートのピン孔に挿入して連結したサイレントチェーンにおいて、インナープレートおよびミドルプレートの一対のピン孔が該インナープレートおよびミドルプレートの内側方向に拡大された長孔のピン孔であり、チェーンに張力を作用して直線状に真っ直ぐに伸びた状態で隣り合うピン孔の２本のロッカーピンの接触点間距離が全て等しいチェーン基準ピッチであり、インナープレートおよびミドルプレートの長孔のピン孔の拡大部の寸法が、２本のロッカーピンを対向接触させたままチェーンを最大屈曲させた際に最遠部が遠ざかる距離より大きいことにより、インナープレートの歯あるいはミドルプレートの歯がスプロケット歯に噛合い始めるときにインナープレートあるいはミドルプレートがチェーン長手方向に移動しても、長孔の寸法が大きくとられているため隣接するプレートから受ける反力が緩和あるいは解消されるため、衝突音の発生が低減されるとともに、ロッカーピンおよびピン孔に対する繰り返し荷重が緩和され、チェーンの寿命を延ばすことができる。
【００２０】
また、インナープレートおよびミドルプレートのピン孔が長孔のピン孔であることにより、長孔のピン孔縁部とロッカーピンとの間の隙間が大きくなるため、この隙間により多くの油を保持することができ、チェーンの摩耗伸びを抑制しチェーンの寿命を延ばすことができる。
【００２１】
本請求項２に係る発明のサイレントチェーンは、請求項１に係るサイレントチェーンが奏する効果に加えて、インナープレートおよびミドルプレートのピン孔が、一対のピン孔が内側にさらに拡大した拡大部で連通した１つのピン長孔であることにより、インナープレートおよびミドルプレートの製造を簡素化することができる。
【００２２】
本請求項３に係る発明のサイレントチェーンは、請求項１に係るサイレントチェーンが奏する効果に加えて、インナープレートおよびミドルプレートの長孔のピン孔の上辺側の長辺部が、スプロケット歯に該インナープレートおよびミドルプレートの歯が着座した状態で、該ピン孔で連結される隣接するミドルプレートおよびインナープレートの着座しているスプロケット歯の歯先におけるスプロケット外接円の接線とほぼ平行であることにより、長孔のピン孔の上辺側の長辺部が、噛合い始めのインナープレートおよびミドルプレートのチェーン長手方向に移動に伴う先行するミドルプレートおよびインナープレートとの相対移動方向に延ばされることとなり、隣接するプレートから受ける反力をより確実に緩和あるいは解消することができるため、さらに衝突音の発生が低減されるとともに、ロッカーピンおよびピン孔に対する繰り返し荷重が緩和され、チェーンの寿命を延ばすことができる。
【００２３】
本請求項４に係る発明のサイレントチェーンは、請求項１または請求項３に係るサイレントチェーンが奏する効果に加えて、インナープレートおよびミドルプレートの長孔のピン孔の拡大部の寸法が、チェーン長手方向両側の隣接するミドルプレートおよびインナープレート端部間の間隔より大きいことにより、インナープレートおよびミドルプレートのチェーン長手方向の移動範囲をチェーンの物理的な限界であるインナープレート端部間の間隔まで拡大することができるため、如何なる噛合いタイプの歯の形状であっても隣接するプレートから受ける反力をより確実に緩和あるいは解消することができ、さらに衝突音の発生が低減されるとともに、ロッカーピンおよびピン孔に対する繰り返し荷重が緩和され、チェーンの寿命を延ばすことができる。
【００２４】
本請求項５に係る発明のサイレントチェーンは、請求項１乃至請求項４のいずれかに係るサイレントチェーンが奏する効果に加えて、凸円弧状のロッカー面を有する２本のロッカーピンの少なくとも一方が湾曲していることにより、サイレントチェーン全体の長さが縮む方向に力が付与されるため、サイレントチェーンの緩み側における弛みによる振動を軽減することができ、緩み側における噛合い開始時の衝撃音の発生をさらに低減でき、ロッカーピンおよびピン孔に対する繰り返し荷重が緩和され、チェーンの寿命を延ばすことができる。
【図面の簡単な説明】
【００２５】
【図１】本発明のサイレントチェーンに用いるインナープレートおよびミドルプレートの正面図。
【図２】本発明のサイレントチェーンに用いるガイドプレートの正面図。
【図３】本発明のサイレントチェーンの一部断面図。
【図４】サイレントチェーンとスプロケットとの噛合い状態の説明図。
【図５】サイレントチェーンの一部正面図。
【図６】本発明の第２実施例のサイレントチェーンに用いるインナープレートおよびミドルプレートの正面図。
【図７】本発明の第３実施例のサイレントチェーンに用いるインナープレートおよびミドルプレートの説明図。
【図８】本発明の第４実施例のサイレントチェーンの一部断面図。
【図９】サイレントチェーンが幅方向に撓んだ状態の説明面図。
【図１０】従来のサイレントチェーンのインナープレートの正面図。
【図１１】従来のサイレントチェーンの一部断面図。
【発明を実施するための形態】
【００２６】
本発明のサイレントチェーンは、一対のピン孔および一対の歯を有するインナープレートおよびミドルプレートを非ガイド列およびガイド列に複数配列するとともに、該ガイド列の最外に一対のピン孔を有するガイドプレートを配置し、非ガイド列に配列したインナープレートとガイド列に配列したミドルプレートとを指組状に組み合わせて、凸円弧状のロッカー面を有する２本のロッカーピンを、該ロッカー面を対抗させてインナープレートおよびミドルプレートのピン孔に挿入して連結したサイレントチェーンにおいて、インナープレートおよびミドルプレートの一対のピン孔が該インナープレートおよびミドルプレートの内側方向に拡大された長孔のピン孔であり、チェーンに張力を作用して直線状に真っ直ぐに伸びた状態で隣り合うピン孔の２本のロッカーピンの接触点間距離が全て等しいチェーン基準ピッチであり、インナープレートおよびミドルプレートの長孔のピン孔の拡大部の寸法が、２本のロッカーピンを対向接触させたままチェーンを最大屈曲させた際に最遠部が遠ざかる距離より大きく、衝突音の発生が低減されるとともに、ロッカーピンおよびピン孔に対する繰り返し荷重が緩和され、チェーンの寿命を延ばすことができるという効果を発揮するものであれば、その具体的な実施態様は如何なるものであっても何ら構わない。
【実施例１】
【００２７】
以下に、本発明のサイレントチェーンについて、図面に基づいて説明する。
本発明の第１実施例であるサイレントチェーン１００は、図１乃至図５に示すように、非ガイド列ＪＬに配列した複数のインナープレート１１０とガイド列ＧＬに配列した複数のミドルプレート１２０とをそれぞれのピン孔１１１、１２１に第１ロッカーピン１４１、第２ロッカーピン１４２がロッカー面を対抗させて挿入されることで連結されて形成される。
【００２８】
非ガイド列ＪＬに配列されるインナープレート１１０およびガイド列ＧＬに配列されるミドルプレート１２０は、図１に示すように、一対のピン孔１１１、１２１および一対の歯（二股状の歯）１１２、１２２を有し、このピン孔１１１、１２１は、円形のピン孔をプレートの中央寄り、すなわち内側方向に拡大して長辺部１１４、１２４を有する長孔に形成されている。
【００２９】
また、ピン孔１１１、１２１の外側寄りには、第１ロッカーピン１４１、第２ロッカーピン１４２に係止される凸部１１３、１２３が設けられ、インナープレート１１０と第２ロッカーピン１４２およびミドルプレート１２０と第１ロッカーピン１４１が、それぞれ相対回転することなく一体に屈曲するように形成されている。
【００３０】
ガイドプレート１３０は、図２に示すように、第１ロッカーピン１４１の断面形状と同一形状の一対のピン孔１３１を有し、サイレントチェーン１００の幅方向最外部に配置されて第１ロッカーピン１４１の両端部をピン孔１３１に嵌合固定するとともに、ガイド部１３２がスプロケット歯の側方に突出してスプロケットにサイレントチェーン１００に掛け回された際の幅方向のガイドとして機能する。
【００３１】
サイレントチェーン１００は、図３に示すように、ミドルプレート１２０およびインナープレート１１０がそれぞれガイド列ＧＬおよび非ガイド列ＪＬに複数配列されるとともに、ガイド列ＧＬの最外部にガイドプレート１３０が配置され、非ガイド列ＪＬのインナープレート１１０とガイド列ＧＬのミドルプレート１２０とが指組状に組み合わされ、ガイドプレート１３０のピン孔１３１に第１ロッカーピン１４１が固定され、第１ロッカーピン１４１および第２ロッカーピン１４２が凸円弧状のロッカー面を対抗させてインナープレート１１０の長孔のピン孔１１１およびミドルプレート１２０の長孔のピン孔１２１に挿入されて連結されている。
【００３２】
このサイレントチェーン１００は、図３に示すように、張力を作用して直線状に真っ直ぐに伸びた状態で、第１ロッカーピン１４１がミドルプレート１２０の長孔のピン孔１２１の外側の凸部１２３に、第２ロッカーピン１４２がインナープレート１１０の長孔のピン孔１１１の外側の凸部１１３にそれぞれ接触し、第１ロッカーピン１４１および第２ロッカーピン１４２の凸円弧状のロッカー面の中心が接触するため、隣り合うロッカーピンの接触点間距離Ｐｇが全て等しくなり、該距離Ｐｇがチェーン基準ピッチＰとなるように構成されている。
【００３３】
また、サイレントチェーン１００のインナープレート１１０およびミドルプレート１２０の長孔のピン孔１１１、１２１の拡大部の寸法ｅ、すなわち、長辺部１１４、１２４の長さｅは、２本のロッカーピンを対向接触させたままチェーンを最大屈曲させた際に最遠部が遠ざかる距離より大きく設定されていれば適宜でよいが、図５に示すように、インナープレート１１０およびミドルプレート１２０の長孔のピン孔１１１、１２１の拡大部の寸法ｅ、すなわち、長辺部１１４、１２４の長さｅをチェーン長手方向両側の隣接するインナープレート１１０およびミドルプレート１２０端部間の間隔ｆより大きくすることで、インナープレート１１０およびミドルプレート１２０のチェーン長手方向の移動範囲をチェーンの物理的な限界まで拡大することができる。
【００３４】
以上のように構成されたサイレントチェーン１００の動作について、図３、図４を参照して説明する。
サイレントチェーン１００がスプロケット１５０に巻き付いて、図４に示すように、非ガイド列ＪＬのインナープレート１１０の歯１１２とスプロケット歯１５１とが噛合い始める場合、最初に非ガイド列ＪＬのインナープレート１１０ａの前側の歯（チェーン進行方向前側の歯）１１２ａの内股（内側フランク）がスプロケット歯１５１ａに接触しインナープレート１１０ａが前方に推進力を受ける。
【００３５】
この時、第１ロッカーピン１４１がインナープレート１１０ａ長孔のピン孔１１１ａを拡大部の方向（チェーン進行方向後側）に、第２ロッカーピン１４２がミドルプレート１２０ａ長孔のピン孔１２１ａを拡大部の方向（チェーン進行方向前側）にそれぞれ移動可能であることにより、非ガイド列ＪＬの各インナープレート１１０は、前方のミドルプレート１２０ａから反力を受けることなく円滑に移動し、衝突音の発生が低減されるとともに、ロッカーピン１４１ａ、１４２ａおよびピン孔１１１ａ、１２１ａに対する繰り返し荷重が緩和される。
【００３６】
さらに、後続のガイド列ＧＬのミドルプレート１２０ｂの歯１２１ｂとスプロケット歯１５１ｂとが噛合い始める場合も同様の動作が行われ、チェーンの進行によってすべてのインナープレート１１０およびミドルプレート１２０の歯１１２、１２２がスプロケット歯１５１に接触して噛合い始める際に、常に前方のミドルプレート１２０およびインナープレート１１０から反力を受けることなく円滑に移動することができるため、衝突音の発生が低減されサイレントチェーン１００の駆動時の騒音が低減されるとともに、サイレントチェーン１００の長寿命化を図ることができる。
【００３７】
また、例えば、高速回転時、緩み側でサイレントチェーン１００が従動側のスプロケット１５０に噛み込む際に、後続のミドルプレート１２０およびインナープレート１１０が噛合いを開始するインナープレート１１０およびミドルプレート１２０を押すような挙動を示す場合があるが、前述した移動可能な範囲までは力を伝えることがないため、後続のプレートからの力を受けて円滑な噛合い開始を阻害されることがない。
【００３８】
また、ピン孔１１１、１２１を長孔とすることで第１ロッカーピン１４１および第２ロッカーピン１４２との間の隙間が大きくなることにより多くの潤滑油を保持することができチェーンの摩耗伸びを抑制することができる。
【００３９】
また、サイレントチェーン１００の進行中、スプロケットのアライメントずれ、スプロケット軸やチェーンガイドの熱変形および弾性変形や、フリースパンでの弦振動発生、高速回転時の緩み側のチェーンふくらみ等によって、チェーン幅方向に設計時に考慮していた噛合いから外れて、図９に示すように、ズレｈが生じた場合でも、インナープレート１１０およびミドルプレート１２０のピン孔１１１、１２１が長孔であることにより、そのズレに追従でき、強度、低騒音化を維持することが可能である。
【実施例２】
【００４０】
本発明の第２実施例であるサイレントチェーンに用いるインナープレート２１０およびミドルプレート２２０は、図６に示すように、前記第１実施例のインナープレート１１０およびミドルプレート１２０の長孔のピン孔をさらに中央寄り内側に拡大して拡大部が長辺部２１４（２２４）で連通した１つのピン孔２１１（２２１）としたものである。
このようにすると、インナープレート１１０およびミドルプレート１２０の製造を簡素化することができるとともに、前記第１実施例のサイレントチェーン１００と同等の作用効果を奏することができる。
【実施例３】
【００４１】
本発明の第３実施例であるサイレントチェーンに用いるインナープレート３１０およびミドルプレート３２０は、図７に示すように、長孔のピン孔３１１、３２１の上辺側の長辺部３１４ａ、３２４ａが、スプロケット歯１５１ａに着座した状態で、隣接するミドルプレート３２０ｂおよびインナープレート３１０ｂの着座しているスプロケット歯１５１ｂの歯先におけるスプロケット外接円の接線Ｓ１とほぼ平行になっているものである。
このほぼ平行な上辺側の長辺部３１４ａ、３２４ａにより長孔のピン孔３１１、３２１の拡大部側の上下間隔ｎが広くなっている。
【００４２】
このことにより、噛合い始めのインナープレート３１０およびミドルプレート３２０のチェーン長手方向に移動に伴う先行するミドルプレート３２０およびインナープレート３１０との相対移動方向に正確に延ばされることとなり、隣接するプレートから受ける反力をより確実に緩和あるいは解消することができるため、さらに衝突音の発生が低減されるとともに、チェーンの寿命を延ばすことができる。
【実施例４】
【００４３】
本発明の第４実施例であるサイレントチェーン２００は、図８に示すように、第１ロッカーピン２４１および第２ロッカーピン２４２がそれぞれ湾曲しており、チェーン幅方向の中央部で第１ロッカーピン２４１および第２ロッカーピン２４２のロッカー面が接触するように構成されている。
【００４４】
このことにより、サイレントチェーン２００に張力がかかっていない状態では、図８に示すように、サイレントチェーン２００が、インナープレート１１０およびミドルプレート１２０の長孔のピン孔１１１、１２１が重なる位置まで縮まった状態となり、特に緩み側の張力変動がフリースパンのサイレントチェーン２００の長手方向の伸縮で吸収されるため、弛みによる弦振動を低減することができ、緩み側における噛合い開始時の衝撃音の発生をさらに低減でき、ロッカーピンおよびピン孔に対する繰り返し荷重が緩和され、チェーンの寿命を延ばすことができる。
【００４５】
なお、第２ロッカーピン２４２のみが湾曲していてもよく、その場合、チェーン幅方向の両端部で第１ロッカーピン２４１および第２ロッカーピン２４２のロッカー面が接触するよう湾曲していてもよい。
【符号の説明】
【００４６】
１００、２００、        ５００  ・・・サイレントチェーン
１１０、２１０、３１０、５１０  ・・・インナープレート
１１１、２１１、３１１、５１１  ・・・ピン孔
１１２、２１２、３１２、５１２  ・・・歯
１１３、２１３、３１３、５１３  ・・・凸部
１１４、２１４、３１４、５１４  ・・・長辺部
１２０、２２０、３２０、５２０  ・・・ミドルプレート
１２１、２２１、３２１、５２１  ・・・ピン孔
１２２、２２２、３２２、５２２  ・・・歯
１２３、２２３、３２３、５２３  ・・・凸部
１２４、２２４、３２４、５２４  ・・・長辺部
１３０、                ５３０  ・・・ガイドプレート
１３１                          ・・・ピン孔
１３２                          ・・・ガイド部
１４１、２４１、        ５４１  ・・・第１ロッカーピン
１４２、２４２、        ５４２  ・・・第２ロッカーピン
１５０                          ・・・スプロケット
１５１                          ・・・スプロケット歯
【図１】
2011064269.tif 000003
【図２】
2011064269.tif 000004
【図３】
2011064269.tif 000005
【図４】
2011064269.tif 000006
【図５】
2011064269.tif 000007
【図６】
2011064269.tif 000008
【図７】
2011064269.tif 000009
【図８】
2011064269.tif 000010
【図９】
2011064269.tif 000011
【図１０】
2011064269.tif 000012
【図１１】
2011064269.tif 000013